(57)【特許請求の範囲】
【請求項１】
キャリア・アグリゲーションシステムにおけるデータの伝送方法であって、
基地局が、キャリア・アグリゲーションシステムにおける特定のコンポーネントキャリアに用いられる時分割（Ｔｉｍｅ  Ｄｉｖｉｓｉｏｎ  Ｄｕｐｌｅｘ,ＴＤＤ）のアップリンク及びダウンリンクサブフレーム構成に基づき、キャリア・アグリゲーションシステムにおけるコンポーネントキャリアを介して、特定のユーザー設備（Ｕｓｅｒ  Ｅｑｕｉｐｍｅｎｔ，  ＵＥ）にデータを伝送するステップを有し、
前記ＵＥは、同一のサブフレームデータ伝送とダウンリンクデータ伝送におけるアップリンクデータ伝送とダウンリンクデータ伝送とを同時にサポートしないＴＤＤ  ＵＥであり、
特定のコンポーネントキャリアに対して、前記基地局は、特定のコンポーネントキャリアに用いられたＴＤＤアップリンク及びダウンリンクサブフレーム構成に基づき、キャリア・アグリゲーションシステムにおける特定のコンポーネントキャリアを介して、特定のＵＥにデータを伝送し、
非特定のコンポーネントキャリアに対して、前記基地局は、特定のコンポーネントキャリアに用いられたＴＤＤアップリンク及びダウンリンクサブフレーム構成に基づき、キャリア・アグリゲーションシステムにおける非特定のコンポーネントキャリアを介して、特定のＵＥにデータを伝送する場合、
基地局が、同一のサブフレームにおいて非特定のコンポーネントキャリアと特定のコンポーネントキャリアの伝送方向が同じであるか否かを判断し、同じだと判断する場合、該サブフレームが非特定のコンポーネントキャリアに用いられるサブフレームであると確定し、同じではないと判断する場合、該サブフレームが非特定のコンポーネントキャリアに用いられないサブフレームであると確定することと、
基地局が、ユーザー設備（Ｕｓｅｒ Ｅｑｕｉｐｍｅｎｔ， ＵＥ）にアップリンク使用可能なサブフレームに対応するアップリンク伝送資源をスケジューリングするとともに、スケジューリングされたアップリンク伝送資源上にＵＥが送信したデータを受信することと、
ダウンリンク使用可能なサブフレームにおいて、ＵＥにダウンリンクデータを送信することと、
を有することを特徴とするキャリア・アグリゲーションシステムにおけるデータの伝送方法。
【請求項２】
基地局がＵＥにデータを送信した後に、前記方法は更に、
基地局が、特定のコンポーネントキャリアの物理ダウンリンク共有チャンネル（Ｐｈｙｓｉｃａｌ  Ｄｏｗｌｉｎｋ  Ｓｈａｒｅｄ  Ｃｈａｎｎｅｌ，  ＰＤＳＣＨ）のデータ受信と、特定のコンポーネントキャリアのアップリンク（Ｕｐ  ｌｉｎｋ，  ＵＬ）肯定応答（ＡＣＫ）／否定応答（ＮＡＣＫ）情報フィードバックとのタイミング対応関係に基づいて、特定のコンポーネントキャリアのアップリンクサブフレーム上で、ＵＥが送信したＵＬＡＣＫ／ＮＡＣＫ情報を受信するステップを有することを特徴とする請求項１記載のキャリア・アグリゲーションシステムにおけるデータの伝送方法。
【請求項３】
前記ＵＥが送信したＵＬＡＣＫ／ＮＡＣＫ情報には、非特定のコンポーネントキャリアのダウンリンク使用不可サブフレームに対応するＵＬＡＣＫ／ＮＡＣＫ情報が含まれないことを特徴とする請求項２記載のキャリア・アグリゲーションシステムにおけるデータの伝送方法。
【請求項４】
基地局はスケジューリングされたアップリンク伝送資源上にＵＥが送信したデータを受信した後に、前記方法は、
基地局が、物理アップリンク共有チャンネル（Ｐｈｙｓｉｃａｌ Ｕｐｌｉｎｋ  Ｓｈａｒｅｄ Ｃｈａｎｎｅｌ、ＰＵＳＣＨ）データに送信と、物理ハイブリッド自動再送指示チャンネルＰＨＩＣＨによるダウンリンクＤＬ肯定応答（ＡＣＫ）／否定応答（ＮＡＣＫ）情報の受信とのタイミング対応関係に基づいて、ＰＨＩＣＨを介して、ＵＥにＤＬＡＣＫ／ＮＡＣＫ情報を送信するステップを更に有することを特徴とする請求項１記載のキャリア・アグリゲーションシステムにおけるデータの伝送方法。
【請求項５】
セカンダリセル（ＳＣｅｌｌ）が非特定のコンポーネントキャリアであり、且つ、クロスキャリアスケジューリングが設置されていない場合、基地局は、ＰＵＳＣＨデータ送信と、ＰＨＩＣＨによるＤＬＡＣＫ／ＮＡＣＫ情報の受信とのタイミング対応関係に基づいて、ＰＨＩＣＨを介して、ＵＥにＤＬＡＣＫ／ＮＡＣＫ情報を送信し、この場合、
基地局が、特定のコンポーネントキャリアのＰＤＳＣＨデータ送信と、ＰＨＩＣＨによるＤＬＡＣＫ／ＮＡＣＫ情報の受信とのタイミング対応関係に基づいて、特定のコンポーネントキャリアのダウンリンクサブフレームにおいて、ＰＨＩＣＨを介して、ＵＥにＵＬＡＣＫ／ＮＡＣＫ情報を送信するステップと、
基地局が、非特定のコンポーネントキャリアのＰＵＳＣＨデータ送信と、ＰＨＩＣＨによるＤＬＡＣＫ／ＮＡＣＫ情報の受信とのタイミング対応関係に基づいて、非特定のコンポーネントキャリアのダウンリンク使用可能なサブフレームにおいてＰＨＩＣＨを介して、ＵＥにＤＬＡＣＫ／ＮＡＣＫ情報を送信するステップとを有することを特徴とする請求項４記載のキャリア・アグリゲーションシステムにおけるデータの伝送方法。
【請求項６】
セカンダリセル（ＳＣｅｌｌ）が非特定のコンポーネントキャリアであり、且つ、クロスキャリアスケジューリングが設置されている場合、基地局は、ＰＵＳＣＨデータ送信と、ＰＨＩＣＨによるＤＬＡＣＫ／ＮＡＣＫ情報の受信とのタイミング対応関係に基づいて、ＰＨＩＣＨを介して、ＵＥにＤＬＡＣＫ／ＮＡＣＫ情報を送信し、この場合、
基地局が、特定のコンポーネントキャリアのＰＵＳＣＨデータ送信と、特定のコンポーネントキャリアのＰＨＩＣＨによるＤＬＡＣＫ／ＮＡＣＫ情報の受信とのタイミング対応関係に基づいて、特定のコンポーネントキャリアのダウンリンクサブフレームのみにおいて、ＰＨＩＣＨを介して、ＵＥにＤＬＡＣＫ／ＮＡＣＫ情報を送信するステップとを有することを特徴とする請求項４記載のキャリア・アグリゲーションシステムにおけるデータの伝送方法。
【請求項７】
基地局がＵＥに特定のコンポーネントキャリアの指示情報を送信するステップを有することを特徴とする請求項１〜請求項６の何れか１つに記載のキャリア・アグリゲーションシステムにおけるデータの伝送方法。
【請求項８】
前記特定のコンポーネントキャリアは、プライマリーセル（ＰＣｅｌｌに用いられたコンポーネントキャリアであることを特徴とする請求項１〜請求項６の何れか１つに記載のキャリア・アグリゲーションシステムにおけるデータの伝送方法。
【請求項９】
基地局は、ＵＥが報告した能力情報を受信し、その情報から該ＵＥが特定ＵＥであるか否かの指示情報を取得して、該指示情報に基づいてＵＥを特定のＵＥとして確定することを有することを特徴とする請求項１〜請求項６の何れか１つに記載のキャリア・アグリゲーションシステムにおけるデータの伝送方法。
【請求項１０】
キャリア・アグリゲーションシステムにおけるデータの伝送方法であって、
ユーザー設備（Ｕｓｅｒ  Ｅｑｕｉｐｍｅｎｔ，  ＵＥ）が、キャリア・アグリゲーションシステムにおける特定のコンポーネントキャリアに用いられる時分割（Ｔｉｍｅ Ｄｉｖｉｓｉｏｎ Ｄｕｐｌｅｘ,ＴＤＤ）のアップリンク及びダウンリンクサブフレーム構成に基づき、キャリア・アグリゲーションシステムにおけるコンポーネントキャリアを介して、基地局にデータを伝送するステップを有し、
前記ＵＥは、同一のサブフレームデータ伝送とダウンリンクデータ伝送におけるアップリンクデータ伝送とダウンリンクデータ伝送とを同時にサポートしないＴＤＤ ＵＥであり、
特定のコンポーネントキャリアに対して、前記ＵＥは、特定のコンポーネントキャリアに用いられたＴＤＤアップリンク及びダウンリンクサブフレーム構成に基づき、キャリア・アグリゲーションシステムにおける特定のコンポーネントキャリアを介して、特定のＵＥにデータを伝送し、
非特定のコンポーネントキャリアに対して、前記ＵＥは、キャリア・アグリゲーションシステムにおける特定のコンポーネントキャリアに用いられたＴＤＤアップリンク及びダウンリンクサブフレーム構成に基づき、キャリア・アグリゲーションシステムにおける非特定のコンポーネントキャリアを介して、基地局とデータの伝送を行い、その場合、
ＵＥが、基地局がスケジューリングしたアップリンク使用可能なサブフレームに対応するアップリンク伝送資源を取得するとともに、該アップリンク伝送資源において基地局にデータを送信するステップと、
ＵＥが、ダウンリンク使用可能なサブフレームにおいて、基地局が送信したデータを送信するステップと、を有し、
前記使用可能なサブフレームは、該サブフレームにおいて非特定のコンポーネントキャリアと特定のコンポーネントキャリアの伝送方向が同じであるサブフレームであることを特徴とするキャリア・アグリゲーションシステムにおけるデータの伝送方法。
【請求項１１】
ＵＥが、基地局が送信したデータを受信した後に、
ＵＥが、特定のコンポーネントキャリアの物理ダウンリンク共有チャンネル（Ｐｈｙｓｉｃａｌ Ｄｏｗｌｉｎｋ Ｓｈａｒｅｄ Ｃｈａｎｎｅｌ， ＰＤＳＣＨ）のデータ受信と、特定のコンポーネントキャリアのアップリンク（Ｕｐ ｌｉｎｋ， ＵＬ）肯定応答（ＡＣＫ）／否定応答（ＮＡＣＫ）情報フィードバックとのタイミング対応関係に基づいて、特定のコンポーネントキャリアのアップリンクサブフレームにおいて、基地局にＵＬＡＣＫ／ＮＡＣＫ情報を送信するステップを有することを特徴とする請求項１０記載のキャリア・アグリゲーションシステムにおけるデータの伝送方法。
【請求項１２】
前記ＵＥが送信したＵＬＡＣＫ／ＮＡＣＫ情報には、非特定のコンポーネントキャリアのダウンリンク使用不可サブフレームに対応するＵＬＡＣＫ／ＮＡＣＫ情報が含まれず、
前記使用不可サブフレームは、該サブフレームにおいて非特定のコンポーネントキャリアと特定のコンポーネントキャリアの伝送方向が異なるであるサブフレームであることを特徴とする請求項１１記載のキャリア・アグリゲーションシステムにおけるデータの伝送方法。
【請求項１３】
ＵＥが、基地局がスケジューリングしたアップリンク伝送資源上でＵＥにデータを送信した後に、
ＵＥが、物理アップリンク共有チャンネル（Ｐｈｙｓｉｃａｌ Ｄｏｗｌｉｎｋ Ｓｈａｒｅｄ Ｃｈａｎｎｅｌ， ＰＤＳＣＨ）のデータ送信と、物理ハイブリッド自動再送指示チャンネルＰＨＩＣＨによるダウンリンクＤＬ肯定応答（ＡＣＫ）／否定応答（ＮＡＣＫ）情報の受信とのタイミング対応関係に基づいて、ＰＨＩＣＨを介して、基地局が送信したＤＬＡＣＫ／ＮＡＣＫ情報を受信するステップを有することを特徴とする請求項１０記載のキャリア・アグリゲーションシステムにおけるデータの伝送方法。
【請求項１４】
セカンダリセル（ＳＣｅｌｌ）が非特定のコンポーネントキャリアであり、且つ、クロスキャリアスケジューリングを構成していない場合、ＵＥは、ＰＵＳＣＨデータ送信と、ＰＨＩＣＨによるＤＬＡＣＫ／ＮＡＣＫ情報の受信とのタイミング対応関係に基づいて、ＰＨＩＣＨを介して、基地局が送信したＤＬＡＣＫ／ＮＡＣＫ情報を受信し、その場合、
ＵＥが、特定のコンポーネントキャリアのＰＵＳＣＨデータ送信と、特定のコンポーネントキャリアのＰＨＩＣＨによるＤＬＡＣＫ／ＮＡＣＫ情報の受信とのタイミング対応関係に基づいて、特定のコンポーネントキャリアのダウンリンクサブフレームにおいて、ＰＨＩＣＨ上のＤＬＡＣＫ／ＮＡＣＫ情報を受信するステップと、
ＵＥが、非特定のコンポーネントキャリアのＰＵＳＣＨデータ送信と、非特定のコンポーネントキャリアのＰＨＩＣＨによるＤＬＡＣＫ／ＮＡＣＫ情報の受信とのタイミング対応関係に基づいて、非特定のコンポーネントキャリアのダウンリンク使用可能なサブフレームにおいて、ＰＨＩＣＨ上のＵＥにＤＬＡＣＫ／ＮＡＣＫ情報を受信するステップとを有することを特徴とする請求項１３記載のキャリア・アグリゲーションシステムにおけるデータの伝送方法。
【請求項１５】
セカンダリセル（ＳＣｅｌｌ）が非特定のコンポーネントキャリアであり、且つ、クロスキャリアスケジューリングが設置されている場合、ＵＥは、ＰＵＳＣＨデータ送信と、ＰＨＩＣＨによるＤＬＡＣＫ／ＮＡＣＫ情報の受信とのタイミング対応関係に基づいて、ＰＨＩＣＨを介して、基地局が送信したＤＬＡＣＫ／ＮＡＣＫ情報を受信し、その場合、
ＵＥが、特定のコンポーネントキャリアのＰＵＳＣＨデータ送信、特定のコンポーネントキャリアのＰＨＩＣＨによるＤＬＡＣＫ／ＮＡＣＫ情報の受信とのタイミング対応関係に基づいて、特定のコンポーネントキャリアのダウンリンクサブフレームのみにおいて、ＰＨＩＣＨ上のＤＬＡＣＫ／ＮＡＣＫ情報を受信するステップを有することを特徴とする請求項１３記載のキャリア・アグリゲーションシステムにおけるデータの伝送方法。
【請求項１６】
ＵＥが、基地局が送信した特定のコンポーネントキャリアの指示情報を受信して、該指示情報に基づいて特定のコンポーネントキャリアを確定するステップを有することを特徴とする請求項１０〜請求項１５の何れか１つに記載のキャリア・アグリゲーションシステムにおけるデータの伝送方法。
【請求項１７】
前記特定のコンポーネントキャリアは、プライマリーセル（ＰＣｅｌｌ）に用いられたコンポーネントキャリアであることを特徴とする請求項１０〜請求項１５の何れか１つに記載のキャリア・アグリゲーションシステムにおけるデータの伝送方法。
【請求項１８】
さらに、ＵＥが、基地局にＵＥの能力情報を報告するステップを有し、
前記ＵＥの能力情報には、該ＵＥが特定ＵＥであるか否かの指示情報が含まれることを特徴とする請求項１０〜請求項１５の何れか１つに記載のキャリア・アグリゲーションシステムにおけるデータの伝送方法。
【請求項１９】
キャリア・アグリゲーションシステムにおけるデータの伝送装置であって、
キャリア・アグリゲーションシステムにおける特定のコンポーネントキャリアに用いられる時分割（Ｔｉｍｅ  Ｄｉｖｉｓｉｏｎ  Ｄｕｐｌｅｘ,ＴＤＤ）のアップリンク及びダウンリンクサブフレーム構成を確定するサブフレーム構成確定手段と、
キャリア・アグリゲーションシステムにおける特定のコンポーネントキャリアに用いられる時分割（Ｔｉｍｅ Ｄｉｖｉｓｉｏｎ Ｄｕｐｌｅｘ,ＴＤＤ）アップリンク及びダウンリンクサブフレーム構成に基づき、キャリア・アグリゲーションシステムにおけるコンポーネントキャリアを介して、特定のユーザー設備（Ｕｓｅｒ Ｅｑｕｉｐｍｅｎｔ， ＵＥ）にデータを伝送するデータ伝送処理手段と、を有し、
前記特定のＵＥは、同一のサブフレームにおけるアップリンクデータ伝送とダウンリンクデータ伝送とを同時にサポートしないＵＥであり、
特定のコンポーネントキャリアに対して、前記データ伝送処理手段は、特定のコンポーネントキャリアに用いられたＴＤＤアップリンク及びダウンリンクサブフレーム構成に基づき、キャリア・アグリゲーションシステムにおける特定のコンポーネントキャリアを介して、特定のＵＥとデータの伝送を行い、
非特定のコンポーネントキャリアに対して、前記データ伝送処理手段は、同一のサブフレームにおいて非特定のコンポーネントキャリアと特定のコンポーネントキャリアの伝送方向が同じであるか否かを判断し、同じだと判断する場合、該サブフレームが非特定のコンポーネントキャリアに用いられるサブフレームであると確定し、同じではないと判断する場合、該サブフレームが非特定のコンポーネントキャリアに用いられないサブフレームであると確定し、ユーザー設備（Ｕｓｅｒ  Ｅｑｕｉｐｍｅｎｔ， ＵＥ）にアップリンク使用可能なサブフレームに対応するアップリンク伝送資源をスケジューリングするとともに、スケジューリングされたアップリンク伝送資源上でＵＥが送信したデータを受信して、ダウンリンク使用可能なサブフレームにおいて、ＵＥにダウンリンクデータを送信することを特徴とするキャリア・アグリゲーションシステムにおけるデータの伝送装置。
【請求項２０】
前記データ伝送処理手段がＵＥにデータを送信した後に、特定のコンポーネントキャリアの物理ダウンリンク共有チャンネル（Ｐｈｙｓｉｃａｌ Ｄｏｗｌｉｎｋ Ｓｈａｒｅｄ Ｃｈａｎｎｅｌ， ＰＤＳＣＨ）のデータ受信と、特定のコンポーネントキャリアのアップリンク（Ｕｐ ｌｉｎｋ， ＵＬ）肯定応答（ＡＣＫ）／否定応答（ＮＡＣＫ）情報フィードバックとのタイミング対応関係に基づいて、特定のコンポーネントキャリアのアップリンクサブフレーム上にＵＥが送信したＵＬＡＣＫ／ＮＡＣＫ情報を受信するアップリンクフィードバック処理手段を有することを特徴とする請求項１９記載のキャリア・アグリゲーションシステムにおけるデータの伝送装置。
【請求項２１】
前記アップリンクフィードバック処理手段が受信した、前記ＵＥが送信したＵＬＡＣＫ／ＮＡＣＫ情報には、非特定のコンポーネントキャリアのダウンリンク使用不可サブフレームに対応するＵＬＡＣＫ／ＮＡＣＫ情報が含まれないことを特徴とする請求項２０記載のキャリア・アグリゲーションシステムにおけるデータの伝送装置。
【請求項２２】
前記データ伝送処理手段がスケジューリングされたアップリンク伝送資源上でＵＥから送信したデータを受信した後に、物理アップリンク共有チャンネル（Ｐｈｙｓｉｃａｌ Ｕｐｌｉｎｋ Ｓｈａｒｅｄ Ｃｈａｎｎｅｌ、ＰＵＳＣＨ）データ送信と、物理ハイブリッド自動再送指示チャンネルＰＨＩＣＨによるダウンリンクＤＬ肯定応答（ＡＣＫ）／否定応答（ＮＡＣＫ）情報の受信とのタイミング対応関係に基づいて、ＰＨＩＣＨを介して、ＵＥにＤＬＡＣＫ／ＮＡＣＫ情報を送信するダウンリンクフィードバック処理手段を有することを特徴とする請求項１９記載のキャリア・アグリゲーションシステムにおけるデータの伝送装置。
【請求項２３】
セカンダリセル（ＳＣｅｌｌ）が特定のコンポーネントキャリアであり、且つ、クロスキャリアスケジューリングが構成設置されていない場合、前記ダウンリンクフィードバック処理手段は、特定のコンポーネントキャリアのＰＵＳＣＨデータ送信と、特定のコンポーネントキャリアのＰＨＩＣＨによるＤＬＡＣＫ／ＮＡＣＫ情報の受信とのタイミング対応関係に基づいて、特定のコンポーネントキャリアのダウンリンクサブフレームにおいて、ＰＨＩＣＨを介して、ＵＥにＤＬＡＣＫ／ＮＡＣＫ情報を送信し、非特定のコンポーネントキャリアのＰＵＳＣＨデータ送信と、非特定のコンポーネントキャリアのＰＨＩＣＨによるＤＬＡＣＫ／ＮＡＣＫ情報の受信とのタイミング対応関係に基づいて、非特定のコンポーネントキャリアのダウンリンク使用可能なサブフレームにおいて、ＰＨＩＣＨを介して、ＵＥにＤＬＡＣＫ／ＮＡＣＫ情報を送信することを特徴とする請求項２２記載のキャリア・アグリゲーションシステムにおけるデータの伝送装置。
【請求項２４】
セカンダリセル（ＳＣｅｌｌ）が特定のコンポーネントキャリアであり、且つ、クロスキャリアスケジューリングが設置されている場合、前記ダウンリンクフィードバック処理手段は、特定のコンポーネントキャリアのＰＵＳＣＨデータ送信と、特定のコンポーネントキャリアのＰＨＩＣＨによるＤＬＡＣＫ／ＮＡＣＫ情報の受信とのタイミング対応関係に基づいて、特定のコンポーネントキャリアのダウンリンクサブフレームのみにおいて、ＰＨＩＣＨを介して、ＵＥにＤＬＡＣＫ／ＮＡＣＫ情報を送信することを特徴とする請求項２２記載のキャリア・アグリゲーションシステムにおけるデータの伝送装置。
【請求項２５】
ＵＥに特定のコンポーネントキャリアの指示情報を送信する特定コンポーネントキャリア指示手段を有することを特徴とする請求項１９〜請求項２４の何れか１つに記載のキャリア・アグリゲーションシステムにおけるデータの伝送装置。
【請求項２６】
前記特定のコンポーネントキャリアは、プライマリーセル（ＰＣｅｌｌ）に用いられたコンポーネントキャリアであることを特徴とする請求項１９〜請求項２４の何れか１つに記載のキャリア・アグリゲーションシステムにおけるデータの伝送装置。
【請求項２７】
ＵＥが報告した能力情報を受信して、その情報から該ＵＥが特定ＵＥであるか否かの指示情報を取得し、該指示情報に基づいてＵＥを特定のＵＥとして確定する特定ＵＥ確定手段を有することを特徴とする請求項１９〜請求項２４の何れか１つに記載のキャリア・アグリゲーションシステムにおけるデータの伝送装置。
【請求項２８】
キャリア・アグリゲーションシステムにおけるデータの伝送装置であって、
キャリア・アグリゲーションシステムにおける特定のコンポーネントキャリアに用いられる時分割（Ｔｉｍｅ Ｄｉｖｉｓｉｏｎ Ｄｕｐｌｅｘ,ＴＤＤ）のアップリンク及びダウンリンクサブフレーム構成を確定するサブフレーム構成確定手段と、
キャリア・アグリゲーションシステムにおける特定のコンポーネントキャリアに用いられる時分割（Ｔｉｍｅ Ｄｉｖｉｓｉｏｎ Ｄｕｐｌｅｘ,ＴＤＤ）アップリンク及びダウンリンクサブフレーム構成に基づき、キャリア・アグリゲーションシステムにおけるコンポーネントキャリアを介して、基地局にデータを伝送するデータ伝送処理手段と、を有し、
前記ＵＥは、同一のサブフレームにおけるアップリンクデータ伝送とダウンリンクデータ伝送とを同時にサポートしないＵＥであり、
特定のコンポーネントキャリアに対して、前記データ伝送処理手段は、特定のコンポーネントキャリアに用いられたＴＤＤアップリンク及びダウンリンクサブフレーム構成に基づき、キャリア・アグリゲーションシステムにおける特定のコンポーネントキャリアを介して、基地局にデータを伝送し、
非特定のコンポーネントキャリアに対して、前記データ伝送処理手段は、基地局がスケジューリングしたアップリンク使用可能なサブフレームに対応するアップリンク伝送資源を取得するとともに、該アップリンク伝送資源において、基地局にデータを送信し、
ダウンリンク使用可能なサブフレームにおいて基地局が送信したデータを受信し、
前記使用可能なサブフレームとは、該サブフレームにおける非特定のコンポーネントキャリアと特定のコンポーネントキャリアの伝送方向が同じであるサブフレームであることを特徴とするキャリア・アグリゲーションシステムにおけるデータの伝送装置。
【請求項２９】
前記データ伝送処理手段が基地局から送信したデータを受信した後に、特定のコンポーネントキャリアの物理ダウンリンク共有チャンネル（Ｐｈｙｓｉｃａｌ Ｄｏｗｌｉｎｋ Ｓｈａｒｅｄ Ｃｈａｎｎｅｌ， ＰＤＳＣＨ）のデータ受信とアップリンク（Ｕｐ ｌｉｎｋ， ＵＬ）肯定応答（ＡＣＫ）／否定応答（ＮＡＣＫ）情報フィードバックとのタイミング対応関係に基づいて、特定のコンポーネントキャリアのアップリンクサブフレームにおいて、基地局にＵＬＡＣＫ／ＮＡＣＫ情報を送信するアップリンクフィードバック処理手段を有することを特徴とする請求項２８記載のキャリア・アグリゲーションシステムにおけるデータの伝送装置。
【請求項３０】
前記アップリンクフィードバック処理手段が受信したＵＬＡＣＫ／ＮＡＣＫ情報には、非特定のコンポーネントキャリアのダウンリンク使用不可サブフレームに対応するＵＬＡＣＫ／ＮＡＣＫ情報が含まれず、
前記使用不可サブフレームは、該サブフレームにおいて非特定のコンポーネントキャリアと特定のコンポーネントキャリアの伝送方向が同じではないサブフレームであることを特徴とする請求項２９記載のキャリア・アグリゲーションシステムにおけるデータの伝送装置。
【請求項３１】
前記データ伝送処理手段が基地局によりスケジューリングされたアップリンク伝送資源上で基地局にデータを送信した後に、物理アップリンク共有チャンネル（Ｐｈｙｓｉｃａｌ Ｕｐｌｉｎｋ Ｓｈａｒｅｄ Ｃｈａｎｎｅｌ、ＰＵＳＣＨ）データ送信と、物理ハイブリッド自動再送指示チャンネルＰＨＩＣＨによるダウンリンクＤＬ肯定応答（ＡＣＫ）／否定応答（ＮＡＣＫ）情報の受信とのタイミング対応関係に基づいて、ＰＨＩＣＨを介して、基地局が送信したＤＬＡＣＫ／ＮＡＣＫ情報を受信するダウンリンクフィードバック処理手段を有することを特徴とする請求項２８記載のキャリア・アグリゲーションシステムにおけるデータの伝送装置。
【請求項３２】
セカンダリセル（ＳＣｅｌｌ）が特定のコンポーネントキャリアであり、且つ、クロスキャリアスケジューリングが構成されていない場合、前記ダウンリンクフィードバック処理手段は、特定のコンポーネントキャリアのＰＵＳＣＨデータ送信と、特定のコンポーネントキャリアのＰＨＩＣＨによるＤＬＡＣＫ／ＮＡＣＫ情報の受信とのタイミング対応関係に基づいて、特定のコンポーネントキャリアのダウンリンクサブフレームにおいて、ＰＨＩＣＨ上のＤＬＡＣＫ／ＮＡＣＫ情報を受信し、非特定のコンポーネントキャリアのＰＵＳＣＨデータ送信と、非特定のコンポーネントキャリアのＰＨＩＣＨによるＤＬＡＣＫ／ＮＡＣＫ情報の受信とのタイミング対応関係に基づいて、非特定のコンポーネントキャリアのダウンリンク使用可能なサブフレームにおいて、ＰＨＩＣＨ上のＤＬＡＣＫ／ＮＡＣＫ情報を受信することを特徴とする請求項３１記載のキャリア・アグリゲーションシステムにおけるデータの伝送装置。
【請求項３３】
セカンダリセル（ＳＣｅｌｌ）が非特定のコンポーネントキャリアであり、且つ、クロスキャリアスケジューリングが設置されている場合、前記ダウンリンクフィードバック処理手段は、特定のコンポーネントキャリアのＰＵＳＣＨデータ送信と、特定のコンポーネントキャリアのＰＨＩＣＨによるＤＬＡＣＫ／ＮＡＣＫ情報の受信とのタイミング対応関係に基づいて、特定のコンポーネントキャリアのダウンリンクサブフレームのみにおいて、ＰＨＩＣＨ上のＤＬＡＣＫ／ＮＡＣＫ情報を受信することを特徴とする請求項３１記載のキャリア・アグリゲーションシステムにおけるデータの伝送装置。
【請求項３４】
基地局が送信した特定のコンポーネントキャリアの指示情報を受信し、該指示情報に基づいて特定のコンポーネントキャリアを確定する特定コンポーネントキャリア確定手段を有することを特徴とする請求項２８〜請求項３３の何れか１つに記載のキャリア・アグリゲーションシステムにおけるデータの伝送装置。
【請求項３５】
前記特定のコンポーネントキャリアはプライマリーセル（ＰＣｅｌｌ）に用いられたコンポーネントキャリアであることを特徴とする請求項２８〜請求項３３の何れか１つに記載のキャリア・アグリゲーションシステムにおけるデータの伝送装置。
【請求項３６】
基地局にＵＥの能力情報を報告する能力情報報告手段を有し、
当該能力情報は該ＵＥが特定ＵＥであるか否かの指示情報を含むことを特徴とする請求項２８〜請求項３３の何れか１つに記載のキャリア・アグリゲーションシステムにおけるデータの伝送装置。
【発明の詳細な説明】
【技術分野】
【０００１】
本出願は、２０１１年０７月１１日に出願された、発明の名称が「キャリア・アグリゲーションシステムにおけるデータの伝送方法及び装置」である中国出願２０１１１０１９３３３３.７を基礎とする優先権を主張し、その全文の内容を引用することにより本出願に取り込む。
【０００２】
本発明は、通信技術領域に関し、特にキャリア・アグリゲーションシステムにおけるデータの伝送方法及び装置に関する。
【背景技術】
【０００３】
バージョン１１（Ｒｅｌ−１１）の長期進化（ＬＴＥ）システムは、異なるバンドにおける隣接キャリア時分割復信（Ｔｉｍｅ  ｄｉｖｉｓｉｏｎ  ｄｕｐｌｅｘ，ＴＤＤ）システムの干渉を防ぐために、異なるバンドに位置するＬＴＥセルが異なるＴＤＤのアップリンク/ダウンリンクサブフレームを使用してキャリアアグリゲーションを行うように、インタ−バンド（Ｉｎｔｅｒ−Ｂａｎｄ）式のキャリアアグリゲーションを行う。
【０００４】
低能力のＴＤＤ  ＣＡユーザー設備（ＵＥ）は、異なるキャリアのアップリンク及びダウンリンクでの同時動作をサポートすることができない。例えば、同一のサブフレームにおいて、コンポーネントキャリア（Ｃｏｍｐｏｎｅｎｔ Ｃａｒｒｉｅｒ、ＣＣと略称する）１上でダウンリンクデータを受信しながらＣＣ２上でアップリンクデータを送信することができない。
【０００５】
以下、キャリア・アグリゲーション技術を説明する。
【０００６】
ＬＴＥシステム及びその前の無線通信システムでは、セルごとに１つのキャリアのみが利用され、ＬＴＥシステムにおけるキャリアの最大帯域幅は２０ＭＨｚである。
【０００７】
しかし、進化版の長期進化システム（ＬＴＥ Ａｄｖａｎｃｅｄ、ＬＴＥ−Ａ）において、システムのピークレートがＬＴＥシステムより大幅に向上され、ダウンリンクで１Ｇｂｐｓに、アップリンクで５００Ｍｂｐｓに達することが求められでいるため、帯域幅最大２０ＭＨｚのキャリア１個のみで、もうピークレートの要件を満足できなくなる。
【０００８】
そのため、ＬＴＥシステムにおいて、  ＵＥが使用可能な帯域幅を拡張することが必要となり、キャリアのグリゲーション技術が導入されるようになった。
【０００９】
即ち、同一基地局（ｅＮＢ）における複数の連続又は非連続キャリアをアグリゲーションして、同時にＵＥのためにサービングし、所要のスピードを提供することである。このようなアグリゲーションされたキャリアは、コンポーネントキャリアとも略称できる。各々のセルのキャリアは１つのコンポーネントキャリアであってもよいが、異なるｅＮＢにおけるセルのキャリア（コンポーネントキャリア）はアグリゲーションできない。
【００１０】
また、ＬＴＥのＵＥがいずれのアグリゲーションされたキャリアでも動作できることを確保するために、キャリアの最大帯域幅は、２０ＭＨｚを超えてはいけない。
【００１１】
ＬＴＥ−ＡのＣＡ技術は図２に示すとおりである。図２に示すＬＴＥ−Ａの基地局の配下に、アグリゲーション可能な４つのキャリアがあり、基地局は、同時にその４つのキャリアを介して、ＵＥにデータを伝送することができる。
【００１２】
ＬＴＥシステムにおいて、ＦＤＤモード及びＴＤＤモードは、いずれも無線フレームを１０ｍｓとし、サブフレームを１ｍｓとする。ＴＤＤの各無線フレームには、表１に示すように、いずれも７種類のＴＤＤアップリンク又はダウンリンクサブフレームという構成が定義されている。
【表１】
0005774217.tif 000002
【００１３】
ここで、Ｄはダウンリンク（ＤＬ）サブフレームを示し、Ｕはアップリンク（ＵＬ）サブフレームを示し、ＳはＴＤＤシステムにおける特別なサブフレームを示しており、例えば、構成１の場合、サブフレーム構成はＤＳＵＵＤＤＳＵＵＤとなる。
【００１４】
ＬＴＥシステムでは、ＵＥは、１つのアップリンクにおいて、複数のダウンリンクサブフレームに対応する肯定応答（ＡＣＫ）或いは否定応答（ＮＡＣＫ）をフィードバック可能である。
【００１５】
即ち、ＵＥは、第ｎ−ｋ個のダウンリンクサブフレーム上のデータに対する復調、デコードを終了した後に、第ｎ個のアップリンクサブフレームを介して、基地局に、該ダウンリンクサブフレームｎ−ｋ上のデータ再送信の要否のシグナリング（即ち、ＡＣＫ／ＮＡＣＫ情報）をフィードバックする。
【００１６】
ｋ∈Ｋ，Ｋ：｛ｋ０，ｋ１，ｋＭ−１｝、集合Ｋの値は、表２に示すように、システムのアップリンク/ダウンリンクサブフレーム構成及びサブフレーム番号に関する。
【表２】
0005774217.tif 000003
【００１７】
ここで、複数の無線フレームは順次に並んでおり、即ち、無線フレームαにおける最後の１つのサブフレームはｋであれば、無線フレームα＋１における第１のサブフレームはβである。表２には、１つの無線フレームのみの例を挙げて、各々のアップリンクサブフレームに対応するＫの仕様を示し、ｎ−ｋ＜０は、直前の無線フレームにおけるダウンリンクサブフレームを示すものである。
【００１８】
従来のキャリア・アグリゲーションシステムでは、ＵＥは、いずれのアグリゲーションのセル（Ｃｅｌｌ）においても上記のタイミングシーケンス（タイミング）でＵＬＡＣＫ／ＮＡＣＫフィードバックを受信し、かつ、対応するフィードバックは、プライマリーセル（ＰＣｅｌｌ）で行われる。
【００１９】
アップリンクデータ伝送の場合、基地局は、ダウンリンクにおいてＡＣＫ／ＮＡＣＫのフィードバックを送信する必要があるが、当該情報は、物理ハイブリッド自動再送要求（ＨＡＲＱ，Ｈｙｂｒｉｄ−ＡＲＱ）指示チャンネル（ＰＨＩＣＨ，Ｐｈｙｓｉｃａｌ  Ｈｙｂｒｉｄ−ＡＲＱ  Ｉｎｄｉｃａｔｏｒ  Ｃｈａｎｎｅｌ）により搬送される。
【００２０】
周波数分割復信（ＦＤＤ）システムについて、アップリンク及びダウンリンクサブフレームは共存され、いずれのサブフレームもＰＨＩＣＨを有するため、ダウンリンクＡＣＫ／ＮＡＣＫフィードバックと、対応するアップリンクデータのシーケンとの関係は、比較的に安定であり、第ｎのサブフレームにおけるアップリンクデータに対応するＡＣＫ／ＮＡＣＫフィードバック情報は、第ｎ＋４のダウンリンクサブフレーム上で伝送される。
【００２１】
これに対し、ＴＤＤシステムについては、異なるＴＤＤサブフレーム構成により、アップリンク及びダウンリンクサブフレーム数もそれぞれであるため、複数のアップリンクサブフレームのＡＣＫ／ＮＡＣＫのフィードバック情報が同一のダウンリンクサブフレーム上で伝送される可能性もある。第ｎのサブフレームにおけるアップリンクデータに対応するＡＣＫ／ＮＡＣＫフィードバック情報は、第ｎ＋ｋのダウンリンクサブフレームにおいて伝送され、ｋの値は表３に示すようになっている。
【表３】
0005774217.tif 000004
【００２２】
従来のキャリア・アグリゲーションシステムでは、ＵＥは各々のアグリゲーションのＣｅｌｌにおいて上記タイミングでＤＬＡＣＫ／ＮＡＣＫ情報を受信し、また、対応するフィードバックは、物理アップリンク共有チャンネル（ＰＵＳＣＨ）のスケジューリングためのＵＬ  ｇｒａｎｔにより送信したＣｅｌｌにおけるＰＨＩＣＨチャンネル上で受信される。
【００２３】
ＬＴＥ  Ｒｅｌ−１１又は以後のバージョンのシステムにおいては、他のＴＤＤシステムへの干渉を防ぐために、ネットワークアレンジメントにおいて、異なるＢａｎｄに位置する複数のＬＴＥセルが、異なるＴＤＤアップリンク及びダウンリンクサブフレーム構成を使用する可能性がある。図３に示すように、キャリア１はＢａｎｄ  Ａに位置し、キャリア２はＢａｎｄ  Ｂに位置している。セル１とセル２はそれぞれキャリア１とキャリア２のセルである。セル１のＴＤＤアップリンク及びダウンリンクサブフレーム構成は構成０であり、セル２のＴＤＤアップリンク及びダウンリンクサブフレーム構成はセル１とは違って、構成０である。もし  ＵＥがこの２つのセルを利用してキャリアアグリゲーションしようとすれば、  ＵＥによりアグリゲーションされたセルにおけるアップリンク及びダウンリンクサブフレーム構成が異なり、図４に示すように、このような異なるＴＤＤ構成のネットワークアレンジメントは、同じサブフレームにおいて、異なるＣｅｌｌの伝送方向が一致しないことを引き起こす可能性がある。例えば、図４に示すサブフレーム４及びサブフレーム９は、Ｃｅｌｌ１においてアップリンクサブフレームであり、Ｃｅｌｌ２においてダウンリンクサブフレームである。低能力のＵＥとしては、このようなサブフレーム上で、複数のＣｅｌｌで同時動作できない恐れがある。
【００２４】
総じて、従来技術は、異なるＴＤＤアップリンク及びダウンリンクサブフレーム構成のキャリア・アグリゲーションシステムにおいて、アップリンク及びダウンリンク同時伝送をサポートできないＵＥのデータ伝送について、解決方法を提供していない。
【発明の概要】
【発明が解決しようとする課題】
【００２５】
総じて、従来技術は、異なるＴＤＤアップリンク及びダウンリンクサブフレーム構成のキャリア・アグリゲーションシステムにおいて、アップリンク及びダウンリンク同時伝送をサポートしないＵＥのデータ伝送について、解決方法を提供していない。
【課題を解決するための手段】
【００２６】
本発明は、アップリンク及びダウンリンクの同時伝送をサポートしないＵＥが、異なるＴＤＤのアップリンク及びダウンリンク構成を使用するキャリア・アグリゲーションシステムにおいて、データを伝送できるようにする、キャリア・アグリゲーションシステムにおけるデータの伝送方法及び装置を提供することに目的とする。
【００２７】
本発明に係るキャリア・アグリゲーションシステムにおけるデータの伝送方法は、
基地局が、キャリア・アグリゲーションシステムにおける特定のコンポーネントキャリアに用いられた時分割復信（Ｔｉｍｅ  Ｄｉｖｉｓｉｏｎ  Ｄｕｐｌｅｘ,ＴＤＤ）のアップリンク及びダウンリンクサブフレーム構成に基づき、キャリア・アグリゲーションシステムにおけるコンポーネントキャリアを介して、特定のユーザー設備（Ｕｓｅｒ  Ｅｑｕｉｐｍｅｎｔ，  ＵＥ）にデータを伝送するステップとを備え、
前記ＵＥは、同一のサブフレームにおけるアップリンクデータ伝送とダウンリンクデータ伝送とを同時にサポートしないＴＤＤ  ＵＥである。
【００２８】
本発明に係る別のキャリア・アグリゲーションシステムにおけるデータの伝送方法は、
ユーザー設備（Ｕｓｅｒ  Ｅｑｕｉｐｍｅｎｔ，  ＵＥ）が、キャリア・アグリゲーションシステムにおける特定のコンポーネントキャリアに用いられる時分割（Ｔｉｍｅ  Ｄｉｖｉｓｉｏｎ  Ｄｕｐｌｅｘ,ＴＤＤ）のアップリンク及びダウンリンクサブフレーム構成に基づき、キャリア・アグリゲーションシステムにおけるコンポーネントキャリアを介して、にデータを伝送する基地局にデータを伝送するステップとを備える。
【００２９】
前記ＵＥは、同一のサブフレームにおけるアップリンクデータ伝送とダウンリンクデータ伝送とを同時にサポートしないＴＤＤ  ＵＥである。
【００３０】
本発明に係るキャリア・アグリゲーションシステムにおけるデータの伝送装置は、
キャリア・アグリゲーションシステムにおける特定のコンポーネントキャリアに用いられる時分割（Ｔｉｍｅ  Ｄｉｖｉｓｉｏｎ  Ｄｕｐｌｅｘ,ＴＤＤ）のアップリンク及びダウンリンクサブフレーム構成を確定するサブフレーム構成確定手段と、
キャリア・アグリゲーションシステムにおける特定のコンポーネントキャリアに用いられる時分割（Ｔｉｍｅ  Ｄｉｖｉｓｉｏｎ  Ｄｕｐｌｅｘ,ＴＤＤ）アップリンク及びダウンリンクサブフレーム構成に基づき、キャリア・アグリゲーションシステムにおけるコンポーネントキャリアを介して、特定のユーザー設備（Ｕｓｅｒ  Ｅｑｕｉｐｍｅｎｔ，  ＵＥ）にデータを伝送するデータ伝送処理手段とを備える。
【００３１】
前記ＵＥは、同一のサブフレームにおけるアップリンクデータ伝送とダウンリンクデータ伝送とを同時にサポートしないＵＥである。
【００３２】
本発明に係る別のキャリア・アグリゲーションシステムにおけるデータの伝送装置は、
キャリア・アグリゲーションシステムにおける特定のコンポーネントキャリアに用いられる時分割（Ｔｉｍｅ  Ｄｉｖｉｓｉｏｎ  Ｄｕｐｌｅｘ,ＴＤＤ）のアップリンク及びダウンリンクサブフレーム構成を確定するサブフレーム構成確定手段と、
キャリア・アグリゲーションシステムにおける特定のコンポーネントキャリアに用いられる時分割（Ｔｉｍｅ  Ｄｉｖｉｓｉｏｎ  Ｄｕｐｌｅｘ,ＴＤＤ）アップリンク及びダウンリンクサブフレーム構成に基づき、キャリア・アグリゲーションシステムにおけるコンポーネントキャリアを介して、基地局にデータを伝送するデータ伝送処理手段とを備える。前記ＵＥは、同一のサブフレームにおけるアップリンクデータ伝送とダウンリンクデータ伝送とを同時にサポートしないＵＥである。
【発明の効果】
【００３３】
本発明に実施例において、基地局は、キャリア・アグリゲーションシステムにおける特定のコンポーネントキャリアに用いられる時分割（Ｔｉｍｅ  Ｄｉｖｉｓｉｏｎ  Ｄｕｐｌｅｘ,ＴＤＤ）のアップリンク及びダウンリンクサブフレーム構成に基づき、キャリア・アグリゲーションシステムにおけるコンポーネントキャリアを介して、特定のユーザー設備（Ｕｓｅｒ  Ｅｑｕｉｐｍｅｎｔ，  ＵＥ）とデータの伝送を行い、上記ＵＥは、異なるコンポーネントキャリアを介した同一のサブフレームデータ伝送とダウンリンクデータ伝送とにおけるアップリンクデータ伝送とダウンリンクデータ伝送とを同時にサポートしないＴＤＤ  ＵＥである。これにより、アップリンク及びダウンリンクの同時伝送をサポートしないＵＥは、異なるＴＤＤのアップリンク及びダウンリンク構成を用いるキャリア・アグリゲーションシステムにおいて、マルチキャリアのデータ伝送を行うことができるようになる。
【図面の簡単な説明】
【００３４】
【図１】図１はＬＴＥセルのキャリアの分布の模式図である。
【図２】図２はＬＴＥ−ＡのＣＡ模式図である。
【図３】図３はＬＴＥ−ＡＣＡ  ＵＥがアグリゲーションした異なるＢａｎｄは異なるＴＤＤアップ／ダウンリンクサブフレーム構成を用いることを示す図である。
【図４】図４はＴＤＤ構成０及びＴＤＤ構成１の２つのＣｅｌｌがアグリゲーションされる模式図である。
【図５】図５は本発明の実施例に係るキャリア・アグリゲーションシステムにおけるデータ伝送方法のフロー模式図である。
【図６】図６は本発明の実施例に係るＣｅｌｌ―１がＰＣｅｌｌである時にＴＤＤアップリンク及びダウンリンク構成０を用い、Ｃｅｌｌ―２がＳｃｅｌｌである時にＴＤＤアップリンク及びダウンリンク構成１を用いる場合、ＵＥがサブフレームの伝送方向を選択する模式図である。
【図７】図７は本発明の実施例に係る、Ｃｅｌｌ―１がＳＣｅｌｌである時にＴＤＤアップリンク及びダウンリンク構成０を用い、Ｃｅｌｌ―２がＰｃｅｌｌである時にＴＤＤアップリンク及びダウンリンク構成１を用いる場合、ＵＥがサブフレームの伝送方向を選択する模式図である。
【図８】図８は本発明の実施例に係る、Ｃｅｌｌ―１がＳＣｅｌｌである時にＴＤＤアップリンク及びダウンリンク構成０を用い、Ｃｅｌｌ―２がＰｃｅｌｌである時にＴＤＤアップリンク及びダウンリンク構成１を用いる場合、ＵＥがＵＬ  ＡＣＫ／ＮＡＣＫをフィードバックする模式図である。
【図９】図９は本発明の実施例に係る、Ｃｅｌｌ―１がＰｃｅｌｌである時にＴＤＤアップリンク及びダウンリンク構成０を用い、Ｃｅｌｌ―２がＳＣｅｌｌである時にＴＤＤアップリンク及びダウンリンク構成１を用いる場合、ＵＥがＵＬ  ＡＣＫ／ＮＡＣＫをフィードバックする模式図である。
【図１０】図１０は本発明の実施例に係る、Ｃｅｌｌ―１がＰｃｅｌｌである時にＴＤＤアップリンク及びダウンリンク構成０を用い、Ｃｅｌｌ―２がＳＣｅｌｌである時にＴＤＤアップリンク及びダウンリンク構成１を用いる場合、非クロスキャリアスケジューリング時にＵＥがＰＨＩＣＨを受信する模式図である。
【図１１】図１１は本発明の実施例に係る、Ｃｅｌｌ―１がＳｃｅｌｌである時にＴＤＤアップリンク及びダウンリンク構成０を用い、Ｃｅｌｌ―２がＰＣｅｌｌである時にＴＤＤアップリンク及びダウンリンク構成１を用いる場合、非クロスキャリアスケジューリング時にＵＥがＰＨＩＣＨを受信する模式図である。
【図１２】図１２は本発明の実施例に係る、Ｃｅｌｌ―１がＰｃｅｌｌである時にＴＤＤアップリンク及びダウンリンク構成０を用い、Ｃｅｌｌ―２がＳＣｅｌｌである時にＴＤＤアップリンク及びダウンリンク構成１を用いる場合、クロスキャリアスケジューリング時にＵＥがＰＨＩＣＨを受信する模式図である。
【図１３】図１３は本発明の実施例に係る、Ｃｅｌｌ―１がＳｃｅｌｌである時にＴＤＤアップリンク及びダウンリンク構成０を用い、Ｃｅｌｌ―２がＰＣｅｌｌである時にＴＤＤアップリンク及びダウンリンク構成１を用いる場合、クロスキャリアスケジューリング時にＵＥがＰＨＩＣＨを受信する模式図である。
【図１４】図１４は本発明の実施例に係るキャリア・アグリゲーションシステムにおけるデータの伝送装置の構成模式図である。
【図１５】図１５は本発明の実施例に係る他のキャリア・アグリゲーションシステムにおけるデータの伝送装置の構成模式図である。
【発明を実施するための形態】
【００３５】
本発明の実施例は、アップリンク及びダウンリンク伝送を同時にサポートしないＵＥが、異なるＴＤＤアップリンク及びダウンリンクサブフレーム構成を用いるキャリア・アグリゲーションシステムにおいて、データを伝送できるようにする、キャリア・アグリゲーションシステムにおけるデータの伝送方法及び装置を提供する。即ち、本発明の実施例に係る技術案は、アップリンク及びダウンリンク伝送を同時にサポートしないＵＥを、クロスバンドの異なるＴＤＤアップリンク及びダウンリンク構成のキャリア・アグリゲーションシーンにおいて、キャリアのアグリゲーションの伝送を行えるようにする。
【００３６】
本発明の実施例は、アップリンク及びダウンリンク伝送を同時にサポートしないＵＥが、異なるＴＤＤアップリンク及びダウンリンク構成を用いるマルチキャリアネットワークにアクセスされる際に、アグリゲーションの伝送及びフィードバックを行う技術案を提供される。以下、図面を参照しながら説明する。
【００３７】
図５を参照する。基地局側における、本発明に係るキャリア・アグリゲーションシステムにおけるデータの伝送方法は、ステップ１０１と、ステップ１０２とを備える。
【００３８】
ステップ１０１において、基地局が、データを伝送する必要があるＵＥを特定のＵＥとして確定する。上記特定のＵＥは、同一のサブフレームにおけるアップリンクデータ伝送とダウンリンクデータ伝送とを同時にサポートしないＵＥである。
【００３９】
当該方法は、以下のことを更に備えることが好ましい。
【００４０】
基地局はＵＥからの能力情報を受信し、当該能力情報から当該ＵＥが特定のＵＥであるか否かの指示情報を取得｛しゅとく｝する。ステップＳ１０１において該指示情報に基づいてＵＥを特定のＵＥとして確定する。
【００４１】
Ｓ１０２において、基地局は、キャリア・アグリゲーションシステムにおける特定のコンポーネントキャリアに用いられる時分割（Ｔｉｍｅ  Ｄｉｖｉｓｉｏｎ  Ｄｕｐｌｅｘ,ＴＤＤ）のアップリンク及びダウンリンクサブフレーム構成に基づき、キャリア・アグリゲーションシステムにおけるコンポーネントキャリアを介して、特定のＵＥにデータを伝送する。
【００４２】
好ましくは、Ｓ１０２において、特定のコンポーネントキャリアについて、前記基地局は、特定のコンポーネントキャリアに用いられるＴＤＤアップリンクサブフレーム構成に基づき、キャリア・アグリゲーションシステムにおけるコンポーネントキャリアを介して、特定のＵＥにデータを伝送する。
【００４３】
非特定のコンポーネントキャリアについて、前記基地局は、特定のコンポーネントキャリアに用いられるＴＤＤアップリンクサブフレーム構成に基づき、キャリア・アグリゲーションシステムにおける非特定のコンポーネントキャリアを介して、特定のＵＥにデータを伝送する。この場合、以下のことを備える。
【００４４】
基地局は、同一のサブフレームにおいて非特定のコンポーネントキャリアと特定のコンポーネントキャリアの伝送方向が同じであるか否かを判断する。同じだと判断する場合、該サブフレームが非特定のコンポーネントキャリアに用いられるサブフレームであると確定する。同じではないと判断する場合、該サブフレームが非特定のコンポーネントキャリアに用いられないサブフレームであると確定する。
【００４５】
基地局は、ユーザー設備（Ｕｓｅｒ  Ｅｑｕｉｐｍｅｎｔ，  ＵＥ）にアップリンク使用可能なサブフレームに対応するアップリンク伝送資源をスケジューリングするとともに、スケジューリングされたアップリンク伝送資源上でＵＥが送信したデータを受信する。
【００４６】
基地局は、ダウンリンク使用可能なサブフレームにおいて、ＵＥにダウンリンクデータを送信する。
【００４７】
例えば、ＵＥにはキャリア・アグリゲーションが設置され、ＰＣｅｌｌが割当てられる。ＵＥがＰＣｅｌｌに対応するコンポーネントキャリアの伝送方向を基準とすることを予め定め、セカンダリセル（ＳＣｅｌｌ）において同一のサブフレームの伝送方向がＰＣｅｌｌの伝送方向と異なれば、ＳＣｅｌｌに上の対応するサブフレームの受信と処理を無視する。
【００４８】
図６を参照する。Ｃｅｌｌ−１がＰＣｅｌｌであり、Ｃｅｌｌ−２がＳＣｅｌｌである場合、サブフレーム４と９において、ＵＥは、ＰＣｅｌｌでアップリンクサブフレーム伝送の動作を行う。この時、ＳＣｅｌｌにおける対応するダウンリンクサブフレームの受信及び処理を無視する（対応するＤＬ  ｇｒａｎｔブラインド検出及びダウンリンク信号の受信を行わないことを備える）。
【００４９】
基地局がＵＥにデータを送信した後に、該方法は以下のことを更に備えることが好ましい。
【００５０】
基地局は、特定のコンポーネントキャリアの物理ダウンリンク共有チャンネル（Ｐｈｙｓｉｃａｌ  Ｄｏｗｌｉｎｋ  Ｓｈａｒｅｄ  Ｃｈａｎｎｅｌ，  ＰＤＳＣＨ）のデータ受信と、特定のコンポーネントキャリアのアップリンク（Ｕｐ  ｌｉｎｋ，  ＵＬ）肯定応答（ＡＣＫ）／否定応答（ＮＡＣＫ）情報フィードバックとのタイミングとの対応関係に基づき、特定のコンポーネントキャリアのアップリンクサブフレーム上でＵＥからのＵＬＡＣＫ／ＮＡＣＫ情報を受信する。
【００５１】
好ましくは、前記ＵＥが送信したＵＬＡＣＫ／ＮＡＣＫ情報には、非特定のコンポーネントキャリアのダウンリンク使用不可サブフレームに対応するＵＬＡＣＫ／ＮＡＣＫ情報が備えられない。
【００５２】
まだ図６を例とし、即ち、ＵＥは、ＵＬＡＣＫ／ＮＡＣＫをフィードバックする時に、処理しないダウンリンクサブフレームをＡＣＫ／ＮＡＣＫコードブック（ｃｏｄｅｂｏｏｋ）サイズ（ｓｉｚｅ）から外れ、該ダウンリンクサブフレームに対してＵＬＡＣＫ／ＮＡＣＫのフィードバックを行わない。
【００５３】
また、図７を参照する。Ｃｅｌｌ−１がＳＣｅｌｌであり、Ｃｅｌｌ−２がＰＣｅｌｌである場合、サブフレーム４と９において、ＵＥは、ＰＣｅｌｌでダウンリンクサブフレームの受信及び処理を行い、ＳＣｅｌｌにおけるアップリンクサブフレームの送信及び処理を無視する（対応するＤＬ  ｇｒａｎｔブラインド検出及びアップリンク信号の受信を行わないことを備える）。
【００５４】
ここでのＳＣｅｌｌにおけるアップリンク及びダウンリンクデータの伝送は、ＳＣｅｌｌ自身のＤＬｇｒａｎｔ及びＵＬｇｒａｎｔによりスケジューリングしてもよく、ＰＣｅｌｌのＬｇｒａｎｔ及びＵＬｇｒａｎｔによりクロスキャリアスケジューリングを行ってもよい。
【００５５】
例えば、特定のコンポーネントキャリアはＰＣｅｌｌキャリアである。ＵＥは、ＰＣｅｌｌのＴＤＤアップリンク及びダウンリンクサブフレーム構成に基づき、キャリア・アグリゲーションシステムにおけるコンポーネントキャリアを介して、データの伝送を行う。ＵＥは、ＰＣｅｌｌとＳＣｅｌｌの対応するダウンリンクサブフレームにおいて、物理ダウンリンク共有チャンネル（Ｐｈｙｓｉｃａｌ  Ｄｏｗｎｌｉｎｋ  Ｓｈａｒｅｄ  Ｃｈａｎｎｅｌ，ＰＤＳＣＨ）のデータを受信した後に、ＰＣｅｌｌにおけるＰＤＳＣＨからＵＬＡＣＫ／ＮＡＣＫまでのタイミング（Ｔｉｍｉｎｇ）に基づき、ＰＣｅｌｌ上の対応するアップリンクサブフレームにおいて、対応するＰＣｅｌｌとＳＣｅｌｌのＰＤＳＣＨのＡＣＫ／ＮＡＣＫ情報をフィードバックする。即ち、特定のキャリアのＵＬＡＣＫ／ＮＡＣＫタイミングに基づいて、特定のキャリアにおける対応するアップリンクサブフレームにおいて、ＰＣｅｌｌとＳＣｅｌｌのＰＤＳＣＨのＡＣＫ／ＮＡＣＫ情報をフィードバックする。
【００５６】
図８と図９は、ＰＣｅｌｌ構成が異なる場合のフィードバック対応関係をそれぞれ提供するものである。矢印方向は、ＰＤＳＣＨ受信サブフレームからＵＬＡＣＫ／ＮＡＣＫフィードバックのサブフレームへの向けを示す。ここで、ＰＤＳＣＨからＵＬＡＣＫ／ＮＡＣＫタイミングまでは、ＬＴＥＲｅｌ−８と同じ、即ち、表２に基づいてＰＣｅｌｌに対応するタイミング関係を検索すればよい。「×」を付けたダウンリンクに対して、ＵＥは、受信及び処理を行わないし、対応するＵＬＡＣＫ／ＮＡＣＫもフィードバックしない。
【００５７】
本発明の実施例における上記ＳＣｅｌｌのダウンリンクデータ伝送は、ＳＣｅｌｌ自身のＤＬｇｒａｎｔによりスケジューリングを行ってもよく、ＰＣｅｌｌのＤＬｇｒａｎｔによりクロスキャリアスケジューリングを行ってもよい。
【００５８】
好ましくは、基地局はスケジューリングされたアップリンク伝送資源上でＵＥが送信したデータを受信した後に、該方法は更に以下のことを備える。
【００５９】
基地局は、物理アップリンク共有チャンネル（Ｐｈｙｓｉｃａｌ  Ｕｐｌｉｎｋ  Ｓｈａｒｅｄ  Ｃｈａｎｎｅｌ、ＰＵＳＣＨ）データ送信と、物理ハイブリッド自動再送指示チャンネルＰＨＩＣＨによるダウンリンクＤＬ肯定応答（ＡＣＫ）／否定応答（ＮＡＣＫ）情報の受信タイミングの対応関係に基づき、ＰＨＩＣＨを介して、ＵＥにＤＬＡＣＫ／ＮＡＣＫ情報を送信する。
【００６０】
好ましく、セカンダリセル（ＳＣｅｌｌ）にクロスキャリアスケジューリングを配置していない場合、基地局は、ＰＵＳＣＨデータ送信と、ＰＨＩＣＨによるＤＬＡＣＫ／ＮＡＣＫ情報の受信タイミングの対応関係に基づいて、ＰＨＩＣＨを介して、ＵＥにＤＬＡＣＫ／ＮＡＣＫ情報を送信する。
【００６１】
以下、詳細に説明する。
【００６２】
基地局は、特定のコンポーネントキャリアのＰＤＳＣＨデータ送信と、特定のコンポーネントキャリアのＰＨＩＣＨによるＤＬＡＣＫ／ＮＡＣＫ情報の受信タイミングの対応関係に基づき、特定のコンポーネントキャリアのダウンリンクサブフレームにおいてＰＨＩＣＨを介して、ＵＥにＵＬＡＣＫ／ＮＡＣＫ情報送信する。
【００６３】
基地局は、非特定のコンポーネントキャリアのＰＤＳＣＨデータ送信と、ＰＨＩＣＨによるＤＬＡＣＫ／ＮＡＣＫ情報の受信タイミングの対応関係に基づき、非特定のコンポーネントキャリアのダウンリンク使用可能なサブフレームにおいてＰＨＩＣＨを介して、ＵＥにＵＬＡＣＫ／ＮＡＣＫ情報を送信する。
【００６４】
好ましくは、セカンダリセル（ＳＣｅｌｌ）にクロスキャリアスケジューリングを配置している場合、基地局は、ＰＵＳＣＨデータ送信と、ＰＨＩＣＨによるＤＬＡＣＫ／ＮＡＣＫ情報の受信タイミングの対応関係に基づいて、ＰＨＩＣＨを介して、ＵＥにＤＬＡＣＫ／ＮＡＣＫ情報を送信する。
【００６５】
以下、詳細に説明する。
【００６６】
基地局は、特定のコンポーネントキャリアのＰＤＳＣＨデータ送信と、特定のコンポーネントキャリアのＰＨＩＣＨによるＤＬＡＣＫ／ＮＡＣＫ情報の受信タイミングの対応関係に基づいて、特定のコンポーネントキャリアのダウンリンクサブフレームのみにおいて、ＰＨＩＣＨを介して、ＵＥにＤＬＡＣＫ／ＮＡＣＫ情報を送信する。
【００６７】
例えば、ＵＥは、ＰＣｅｌｌとＳＣｅｌｌに対応するアップリンクサブフレームにおいてＰＵＳＣＨを送信した後に、以下のタイミング対応関係に基づいて、対応するＰＨＩＣＨ上のＤＬＡＣＫ／ＮＡＣＫフィードバックを受信する。
【００６８】
〈ケース１〉
ＳＣｅｌｌにはクロスキャリアスケジューリングが配置されてない。即ち、ＳＣｅｌｌにおけるＰＵＳＣＨの伝送は、ＳＣｅｌｌ自身のＵＬｇｒａｎｔによりスケジューリングされる場合、ＵＥは、ＰＣｅｌｌとＳＣｅｌｌにおいて、各自の独立ＰＵＳＣＨからＰＨＩＣＨまでのタイミングに基づいて、ＰＣｅｌｌとＳＣｅｌｌの各自のＤＬＡＣＫ／ＮＡＣＫフィードバックを受信する。
【００６９】
図１０に示すように、矢印方向は、ＰＤＳＣＨ送信サブフレームに対応するＰＨＩＣＨフィードバックサブフレームの方向を示す。ここで、ＰＤＳＣＨからＰＨＩＣＨまでのタイミング関係は、ＬＴＥＲｅｌ−８と同様であり、即ち、表３に基づいてＳＣｅｌｌとＰＣｅｌｌそれぞれに対応するタイミング関係を検索することができる。
【００７０】
以下のことを特に説明する。ＳＣｅｌｌにおける、ＰＣｅｌｌの伝送方向と異なることにより処理が無視されたダウンリンクサブフレーム（例えば、図１０における「×」を付けたダウンリンクサブフレーム）において、ＵＥは、ＰＨＩＣＨデータを受信することができないため、それに関連するアップリンクＰＵＳＣＨプロセッサの伝送にも影響を受ける。よって、基地局は、これらのサブフレームにおいてできる限りＰＵＳＣＨのスケジューリングを行わない。また、基地局は、これらのサブフレームにおいてＰＵＳＣＨのスケジューリングを行ってもよいが、これらのサブフレームに対してＤＬＡＣＫ／ＮＡＣＫフィードバックを行わない。
【００７１】
図１０に示すように、基地局はＳＣｅｌｌサブフレーム３においてＰＵＳＣＨをスケジューリングして、ＵＥはＳＣｅｌｌサブフレーム３においてデータを送信してもよいが、ＳＣｅｌｌサブフレーム３に対応するＤＬＡＣＫ／ＮＡＣＫフィードバックサブフレームはＳＣｅｌｌ９であり、ＵＥはＳＣｅｌｌ９を処理しないため、基地局はＳＣｅｌｌサブフレーム３に対してＤＬＡＣＫ／ＮＡＣＫフィードバックを行わない。また、基地局がＳＣｅｌｌサブフレーム３においてＰＵＳＣＨをスケジューリングしなくてもよいため、ＵＥはＳＣｅｌｌサブフレーム３においてデータを送信しない。ＳＣｅｌｌサブフレーム８は、ＳＣｅｌｌサブフレーム３における動作と同じである。
【００７２】
そして、ＳＣｅｌｌにおける、ＰＣｅｌｌの伝送方向と異なることにより処理が無視されたアップリンクサブフレーム、例えば、図１１における「×」を付けたアップリンクサブフレームにおいて、ＵＥは、ＰＵＳＣＨデータを送信しないため、ＵＥも対応するダウンリンクフィードバックサブリンクにおいてＰＨＩＣＨデータを受信しない。
【００７３】
〈ケース２〉
ＳＣｅｌｌにはクロスキャリアスケジューリングが配置されている。即ち、ＳＣｅｌｌにおいて、ＰＵＳＣＨは、ＰＣｅｌｌからのＵＬｇｒａｎｔを伝送してスケジューリングする。ＵＥは、ＰＣｅｌｌにおけるＰＵＳＣＨからＰＨＩＣＨまでのタイミングに基づいて、ＵＬｇｒａｎｔを送信するキャリア（即ち、ＰＣｅｌｌ）のダウンリンクサブフレームのＰＨＩＣＨチャンネルにおいて、ＰＣｅｌｌとＳＣｅｌｌ  ＰＵＳＣＨに対するＤＬＡＣＫ／ＮＡＣＫフィードバックを受信する。
【００７４】
図１２と図１３に示すように、矢印方向は、ＰＤＳＣＨ送信サブフレームに対応するＰＨＩＣＨフィードバックサブフレームの方向を示す。ここで、ＰＤＳＣＨからＰＨＩＣＨまでのタイミング関係は、ＬＴＥＲｅｌ−８と同様であり、即ち、表３に基づいてＰＣｅｌｌに対応するそれぞれのタイミング関係を検索すればよい。
【００７５】
以下のことを特に説明する。ＳＣｅｌｌにおける、ＰＣｅｌｌの伝送方向と異なることにより処理が無視されたアップリンクサブフレーム、例えば、図１３における「×」を付けたダアップリンクサブフレームにおいて、ＵＥは、ＰＵＳＣＨデータを送信しないため、対応するダウンリンクフィードバックサブフレームにおいてＰＨＩＣＨデータを受信しない。
【００７６】
該方法が、基地局がＵＥに特定のコンポーネントキャリアの指示情報を送信することを更に備えることが好ましい。
【００７７】
前記特定のコンポーネントキャリアがプライマリーセル（ＰＣｅｌｌ）が採用したコンポーネントキャリアであることが好ましい。
【００７８】
本発明の実施例において、ＰＣｅｌｌを基準とすることはただ１つの好ましい案であるが、他のコンポーネントキャリアを特定のコンポーネントキャリアとしてもよく、即ち、ＳＣｅｌｌを基準としてもよい。該基準ＳＣｅｌｌの番号（又は、該特定のコンポーネントキャリアの番号）は、基地局によりＵＥに報告する。つまり、ＵＥは特定のコンポーネントキャリアの指示情報を受信して、該指示情報に基づいて特定のコンポーネントキャリアを確定してもよい。
【００７９】
以上の本発明の実施例では、ＰＣｅｌｌを基準とするデータ伝送の処理案を提供したが、他の特定のＣｅｌｌを基準としてもよい、該基準Ｃｅｌｌの番号は基地局によりＵＥに報告する。また、本発明の実施例について、ＰＣｅｌｌとＳＣｅｌｌに異なるＴＤＤのアップリンク及びダウンリンクサブフレーム構成（ｃｏｎｆｉｇｕｒａｔｉｏｎ）での動作仕様を提供したが、本発明の実施例が提供した技術案は、複数のＳＣｅｌｌに異なるＴＤＤのアップリンク及びダウンリンクサブフレーム構成が設置された態様にも同様に適用し、ＳＣｅｌｌ間にクロスキャリアスケジューリングを設置した態様にも適用する。
【００８０】
対応のＵＥ側において、本発明がキャリア・アグリゲーションシステムにおけるデータの伝送方法を提供する。
【００８１】
該方法は、ユーザー設備（Ｕｓｅｒ  Ｅｑｕｉｐｍｅｎｔ，  ＵＥ）が、キャリア・アグリゲーションシステムにおける特定のコンポーネントキャリアに用いられる時分割（Ｔｉｍｅ  Ｄｉｖｉｓｉｏｎ  Ｄｕｐｌｅｘ,ＴＤＤ）のアップリンク及びダウンリンクサブフレーム構成に基づき、キャリア・アグリゲーションシステムにおけるコンポーネントキャリアを介して、基地局にデータを伝送するステップを備える。
【００８２】
前記ＵＥは、同一のサブフレームにおけるアップリンクデータ伝送とダウンリンクデータ伝送とを同時にサポートしないＴＤＤＵＥである。
【００８３】
特定のコンポーネントキャリアに対して、前記ＵＥは、特定のコンポーネントキャリアに用いられたＴＤＤアップリンクサブフレーム構成に基づき、キャリア・アグリゲーションシステムにおける特定のコンポーネントキャリアを介して、基地局にデータを伝送する。
【００８４】
以下、詳細に説明する。
【００８５】
ＵＥは、基地局がスケジューリングしたアップリンク使用可能なサブフレームに対応するアップリンク伝送資源を取得するとともに、該アップリンク伝送資源において基地局にデータを送信する。
【００８６】
ＵＥは、ダウンリンク使用可能なサブフレームにおいて、基地局が送信したデータを受信する。
【００８７】
上記使用可能なサブフレームとは、該サブフレームにおける、非特定のコンポーネントキャリアと特定のコンポーネントキャリアの伝送方向が同一であるサブフレームを指す。
【００８８】
好ましく、ＵＥが基地局からデータを受信した後に、該方法は更に以下のことを備える。
【００８９】
ＵＥは、特定のコンポーネントキャリアの物理ダウンリンク共有チャンネル（Ｐｈｙｓｉｃａｌ  Ｄｏｗｌｉｎｋ  Ｓｈａｒｅｄ  Ｃｈａｎｎｅｌ，  ＰＤＳＣＨ）のデータ受信と、特定のコンポーネントキャリアのアップリンク（Ｕｐ  ｌｉｎｋ，  ＵＬ）肯定応答（ＡＣＫ）／否定応答（ＮＡＣＫ）情報フィードバックのタイミング対応関係に基づいて、特定のコンポーネントキャリアのアップリンクサブフレームにおいて基地局にＵＬＡＣＫ／ＮＡＣＫ情報を送信する。
【００９０】
好ましく、上記ＵＥが送信したＵＬＡＣＫ／ＮＡＣＫ情報には、非特定のコンポーネントキャリアのダウンリンク使用不可サブフレームに対応するＵＬＡＣＫ／ＮＡＣＫ情報を備えない。
【００９１】
使用不可サブフレームとは、該サブフレームにおける、非特定のコンポーネントキャリアと特定のコンポーネントキャリアの伝送方向が異なるサブフレームを指す。
【００９２】
好ましく、ＵＥが基地局がスケジューリングしたアップリンク伝送資源上で基地局にデータを送信した後に、該方法は更に以下のことを備える。
【００９３】
ＵＥは、物理アップリンク共有チャンネル（Ｐｈｙｓｉｃａｌ  Ｕｐｌｉｎｋ  Ｓｈａｒｅｄ  Ｃｈａｎｎｅｌ、ＰＵＳＣＨ）データ送信と、物理ハイブリッド自動再送指示チャンネルＰＨＩＣＨによるダウンリンクＤＬ肯定応答（ＡＣＫ）／否定応答（ＮＡＣＫ）情報の受信とのタイミング対応関係に基づいて、ＰＨＩＣＨを介して、基地局が送信したＤＬＡＣＫ／ＮＡＣＫ情報を受信する。
【００９４】
好ましく、セカンダリセル（ＳＣｅｌｌ）にはクロスキャリアスケジューリングを設置していない場合、ＵＥは、ＰＵＳＣＨデータ送信と、ＰＨＩＣＨによるＤＬＡＣＫ／ＮＡＣＫ情報の受信のタイミング対応関係に基づいて、ＰＨＩＣＨを介して、基地局が送信したＤＬＡＣＫ／ＮＡＣＫ情報を受信する。この場合、以下のことを備える。
【００９５】
ＵＥは、特定のコンポーネントキャリアのＰＵＳＣＨデータ送信と、特定のコンポーネントキャリアのＰＨＩＣＨによるＤＬＡＣＫ／ＮＡＣＫ情報の受信とのタイミング対応関係に基づいて、特定のコンポーネントキャリアのダウンリンクサブフレームにおいて、ＰＨＩＣＨ上のＤＬＡＣＫ／ＮＡＣＫ情報を受信する。
【００９６】
ＵＥは、非特定のコンポーネントキャリアのＰＤＳＣＨデータ送信と、非特定のコンポーネントキャリアのＰＨＩＣＨによるＤＬＡＣＫ／ＮＡＣＫ情報の受信とのタイミング対応関係に基づいて、非特定のコンポーネントキャリアのダウンリンク使用可能なサブフレームにおいて、ＰＨＩＣＨ上のＵＥにＤＬＡＣＫ／ＮＡＣＫ情報を受信する。
【００９７】
好ましく、セカンダリセル（ＳＣｅｌｌ）にはクロスキャリアスケジューリングを設置してる場合、ＵＥは、ＰＵＳＣＨデータ送信と、ＰＨＩＣＨによるＤＬＡＣＫ／ＮＡＣＫ情報の受信とのタイミング対応関係に基づいて、ＰＨＩＣＨを介して、基地局が送信したＤＬＡＣＫ／ＮＡＣＫ情報を受信する。この場合、以下のことを備える。
【００９８】
ＵＥは、特定のコンポーネントキャリアのＰＵＳＣＨデータ送信と、特定のコンポーネントキャリアのＰＨＩＣＨによるＤＬＡＣＫ／ＮＡＣＫ情報の受信とのタイミング対応関係に基づいて、特定のコンポーネントキャリアのダウンリンクサブフレームのみにおいて、ＰＨＩＣＨ上のＤＬＡＣＫ／ＮＡＣＫ情報を受信する。
【００９９】
好ましく、当該方法は、
ＵＥが、基地局が送信した特定のコンポーネントキャリアの指示情報を受信して、該指示情報に基づいて特定のコンポーネントキャリアを確定するステップを更に備える。
【０１００】
好ましく、上記特定のコンポーネントキャリアは、プライマリーセル（ＰＣｅｌｌ）が採用したコンポーネントキャリアである。
【０１０１】
好ましく、該方法は、
ＵＥは、基地局にＵＥの能力情報を報告することを更に備える。前記ＵＥの能力情報には該ＵＥが特定ＵＥであるか否かの指示情報を備える。
【０１０２】
図１４を参照する。基地局側における、本発明に係るキャリア・アグリゲーションシステムにおけるデータの伝送装置は、
キャリア・アグリゲーションシステムにおける特定のコンポーネントキャリアに用いられる時分割（Ｔｉｍｅ  Ｄｉｖｉｓｉｏｎ  Ｄｕｐｌｅｘ,ＴＤＤ）のアップリンク及びダウンリンクサブフレーム構成を確定するサブフレーム構成確定手段１１と、
キャリア・アグリゲーションシステムにおける特定のコンポーネントキャリアに用いられる時分割（Ｔｉｍｅ  Ｄｉｖｉｓｉｏｎ  Ｄｕｐｌｅｘ,ＴＤＤ）アップリンク及びダウンリンクサブフレーム構成に基づき、キャリア・アグリゲーションシステムにおけるコンポーネントキャリアを介して、特定のユーザー設備（Ｕｓｅｒ  Ｅｑｕｉｐｍｅｎｔ，  ＵＥ）にデータを伝送するデータ伝送処理手段１２とを備える。
【０１０３】
上記特定のＵＥは、同一のサブフレームにおけるアップリンクデータ伝送とダウンリンクデータ伝送とを同時にサポートしないＵＥである。
【０１０４】
好ましくは、特定のコンポーネントキャリアについて、前記データ伝送処理手段１２は、特定のコンポーネントキャリアに用いられたＴＤＤアップリンク及びダウンリンクサブフレーム構成に基づき、キャリア・アグリゲーションシステムにおける特定のコンポーネントキャリアを介して、特定のＵＥにデータを伝送する。
【０１０５】
非特定のコンポーネントキャリアについて、前記データ伝送処理手段１２は、同一のサブフレームにおいて非特定のコンポーネントキャリアと特定のコンポーネントキャリアの伝送方向が同じであるか否かを判断する。同じだと判断する場合、該サブフレームが非特定のコンポーネントキャリアに用いられるサブフレームであると確定し、同じではないと判断する場合、該サブフレームが非特定のコンポーネントキャリアに用いられないサブフレームであると確定し、ユーザー設備（Ｕｓｅｒ  Ｅｑｕｉｐｍｅｎｔ，  ＵＥ）にアップリンク使用可能なサブフレームに対応するアップリンク伝送資源をスケジューリングするとともに、スケジューリングされたアップリンク伝送資源上にＵＥが送信したデータを受信して、ダウンリンク使用可能なサブフレームにおいて、ＵＥにダウンリンクデータを送信する。
【０１０６】
好ましくは、該装置は、前記データ伝送処理手段１２がＵＥにデータを送信した後に、特定のコンポーネントキャリアの物理ダウンリンク共有チャンネル（Ｐｈｙｓｉｃａｌ  Ｄｏｗｌｉｎｋ  Ｓｈａｒｅｄ  Ｃｈａｎｎｅｌ，  ＰＤＳＣＨ）のデータ受信と、特定のコンポーネントキャリアのアップリンク（Ｕｐ  ｌｉｎｋ，  ＵＬ）肯定応答（ＡＣＫ）／否定応答（ＮＡＣＫ）情報フィードバックとのタイミング対応関係に基づいて、特定のコンポーネントキャリアのアップリンクサブフレーム上でＵＥが送信したＵＬＡＣＫ／ＮＡＣＫ情報を受信するアップリンクフィードバック処理手段１３を更に備える。
【０１０７】
好ましく、前記アップリンクフィードバック処理手段１３が受信したＵＬＡＣＫ／ＮＡＣＫ情報には、非特定のコンポーネントキャリアのダウンリンク使用不可サブフレームに対応するＵＬＡＣＫ／ＮＡＣＫ情報を備えない。
【０１０８】
好ましく、該装置は、前記データ伝送処理手段１２がＵＥにデータを送信した後に、物理アップリンク共有チャンネル（Ｐｈｙｓｉｃａｌ  Ｕｐｌｉｎｋ  Ｓｈａｒｅｄ  Ｃｈａｎｎｅｌ、ＰＵＳＣＨ）データ送信と、物理ハイブリッド自動再送指示チャンネルＰＨＩＣＨによるダウンリンクＤＬ肯定応答（ＡＣＫ）／否定応答（ＮＡＣＫ）情報の受信とのタイミング対応関係に基づいて、ＰＨＩＣＨを介して、ＵＥにＤＬＡＣＫ／ＮＡＣＫ情報を送信するダウンリンクフィードバック処理手段１４を更に備える。
【０１０９】
好ましく、セカンダリセル（ＳＣｅｌｌ）にはクロスキャリアスケジューリングを構成していない場合、上記ダウンリンクフィードバック処理手段１４は、特定のコンポーネントキャリアのＰＵＳＣＨデータ送信と、特定のコンポーネントキャリアのＰＨＩＣＨによるＤＬＡＣＫ／ＮＡＣＫ情報の受信とのタイミング対応関係に基づいて、特定のコンポーネントキャリアのダウンリンクサブフレームにおいて、ＰＨＩＣＨを介して、ＵＥにＤＬＡＣＫ／ＮＡＣＫ情報を送信し、非特定のコンポーネントキャリアのＰＵＳＣＨデータ送信と、非特定のコンポーネントキャリアのＰＨＩＣＨによるＤＬＡＣＫ／ＮＡＣＫ情報の受信とのタイミング対応関係に基づいて、非特定のコンポーネントキャリアのダウンリンク使用可能なサブフレームにおいて、ＰＨＩＣＨを介して、ＵＥにＤＬＡＣＫ／ＮＡＣＫ情報を送信する。
【０１１０】
好ましく、セカンダリセル（ＳＣｅｌｌ）にはクロスキャリアスケジューリングを構成している場合、上記ダウンリンクフィードバック処理手段１４は、特定のコンポーネントキャリアのＰＵＳＣＨデータ送信と、特定のコンポーネントキャリアのＰＨＩＣＨによるＤＬＡＣＫ／ＮＡＣＫ情報の受信とのタイミング対応関係に基づいて、特定のコンポーネントキャリアのダウンリンクサブフレームのみにおいて、ＰＨＩＣＨを介し、ＵＥにＤＬＡＣＫ／ＮＡＣＫ情報を送信する。
【０１１１】
好ましく、該装置は、
ＵＥに特定のコンポーネントキャリアの指示情報を送信する特定コンポーネントキャリア指示手段１５を更に備える。
【０１１２】
好ましく、上記特定のコンポーネントキャリアは、プライマリーセル（ＰＣｅｌｌ）が採用したコンポーネントキャリアである。
【０１１３】
好ましく、該装置は、
ＵＥが報告した能力情報を受信し、その情報から該ＵＥが特定ＵＥであるか否かの指示情報を取得して、該指示情報に基づいてＵＥを特定のＵＥとして確定する特定ＵＥ確定手段１６を更に備える。
【０１１４】
図１５を参照する。ＵＥ側における、本発明に係るキャリア・アグリゲーションシステムにおけるデータの伝送装置は、
キャリア・アグリゲーションシステムにおける特定のコンポーネントキャリアに用いられる時分割（Ｔｉｍｅ  Ｄｉｖｉｓｉｏｎ  Ｄｕｐｌｅｘ,ＴＤＤ）のアップリンク及びダウンリンクサブフレーム構成を確定するサブフレーム構成確定手段２１と、
キャリア・アグリゲーションシステムにおける特定のコンポーネントキャリアに用いられる時分割（Ｔｉｍｅ  Ｄｉｖｉｓｉｏｎ  Ｄｕｐｌｅｘ,ＴＤＤ）アップリンク及びダウンリンクサブフレーム構成に基づき、キャリア・アグリゲーションシステムにおけるコンポーネントキャリアを介して、基地局にデータを伝送するデータ伝送処理手段２２とを備える。
【０１１５】
上記ＵＥは、異なるコンポーネントキャリアを介した、同一のサブフレームにおけるアップリンクデータ伝送とダウンリンクデータ伝送とを同時にサポートしないＵＥである。
【０１１６】
好ましく、特定のコンポーネントキャリアに対して、前記データ伝送処理手段２２は、特定のコンポーネントキャリアに用いられたＴＤＤアップリンク及びダウンリンクサブフレーム構成に基づき、キャリア・アグリゲーションシステムにおける特定のコンポーネントキャリアを介して、基地局にデータを伝送する。
【０１１７】
非特定のコンポーネントキャリアに対して、前記データ伝送処理手段２２は、基地局がスケジューリングしたアップリンク使用可能なサブフレームに対応するアップリンク伝送資源を取得するとともに、該アップリンク伝送資源において基地局にデータを送信し、ダウンリンク使用可能なサブフレームにおいて基地局が送信したデータを受信する。
【０１１８】
上記使用可能なサブフレームとは、該サブフレームにおいて非特定のコンポーネントキャリアと特定のコンポーネントキャリアの伝送方向が同じであるサブフレームを指す。
【０１１９】
好ましく、該装置は、
前記データ伝送処理手段が基地局から送信したデータを受信した後に、特定のコンポーネントキャリアの物理ダウンリンク共有チャンネル（Ｐｈｙｓｉｃａｌ  Ｄｏｗｌｉｎｋ  Ｓｈａｒｅｄ  Ｃｈａｎｎｅｌ，  ＰＤＳＣＨ）のデータ受信と、特定のコンポーネントキャリアのアップリンク（Ｕｐ  ｌｉｎｋ，  ＵＬ）肯定応答（ＡＣＫ）／否定応答（ＮＡＣＫ）情報フィードバックとのタイミング対応関係に基づいて、特定のコンポーネントキャリアのアップリンクサブフレームにおいて、基地局にＵＬＡＣＫ／ＮＡＣＫ情報を送信することに用いられるアップリンクフィードバック処理手段２３を更に備える。
【０１２０】
好ましく、上記アップリンクフィードバック処理手段２３が受信したＵＬＡＣＫ／ＮＡＣＫ情報には、非特定のコンポーネントキャリアのダウンリンク使用不可サブフレームに対応するＵＬＡＣＫ／ＮＡＣＫ情報を備えない。
【０１２１】
上記使用不可サブフレームとは、該サブフレームにおいて非特定のコンポーネントキャリアと特定のコンポーネントキャリアの伝送方向が同じではないサブフレームを指す。
【０１２２】
好ましく、該装置は、
前記データ伝送処理手段２２が基地局によりスケジューリングされたアップリンク伝送資源上に基地局にデータを送信した後に、物理アップリンク共有チャンネル（Ｐｈｙｓｉｃａｌ  Ｕｐｌｉｎｋ  Ｓｈａｒｅｄ  Ｃｈａｎｎｅｌ、ＰＵＳＣＨ）データ受信と、物理ハイブリッド自動再送指示チャンネルＰＨＩＣＨによるダウンリンクＤＬ肯定応答（ＡＣＫ）／否定応答（ＮＡＣＫ）情報の受信とのタイミング対応関係に基づいて、ＰＨＩＣＨを介し、基地局が送信したＤＬＡＣＫ／ＮＡＣＫ情報を受信するダウンリンクフィードバック処理手段２４を更に備える。
【０１２３】
好ましく、セカンダリセル（ＳＣｅｌｌ）にはクロスキャリアスケジューリングを構成していない場合、上記ダウンリンクフィードバック処理手段２４は、特定のコンポーネントキャリアのＰＵＳＣＨデータ送信と、特定のコンポーネントキャリアのＰＨＩＣＨによるＤＬＡＣＫ／ＮＡＣＫ情報の受信とのタイミング対応関係に基づいて、特定のコンポーネントキャリアのダウンリンクサブフレームにおいてＰＨＩＣＨ上のＤＬＡＣＫ／ＮＡＣＫ情報を受信し、非特定のコンポーネントキャリアのＰＵＳＣＨデータ送信と、非特定のコンポーネントキャリアのＰＨＩＣＨによるＤＬＡＣＫ／ＮＡＣＫ情報の受信とのタイミング対応関係に基づいて、非特定のコンポーネントキャリアのダウンリンク使用可能なサブフレームにおいて、ＰＨＩＣＨ上のＤＬＡＣＫ／ＮＡＣＫ情報を受信する。
【０１２４】
好ましく、セカンダリセル（ＳＣｅｌｌ）にはクロスキャリアスケジューリングを構成している場合、上記ダウンリンクフィードバック処理手段２４は、特定のコンポーネントキャリアのＰＵＳＣＨデータ送信と、特定のコンポーネントキャリアのＰＨＩＣＨによるＤＬＡＣＫ／ＮＡＣＫ情報の受信とのタイミング対応関係に基づいて、特定のコンポーネントキャリアのダウンリンクサブフレームのみにおいて、ＰＨＩＣＨ上のＤＬＡＣＫ／ＮＡＣＫ情報を受信する。
【０１２５】
好ましく、該装置は、
基地局が送信した特定のコンポーネントキャリアの指示情報を受信し、該指示情報に基づいて特定のコンポーネントキャリアを確定する特定コンポーネントキャリア確定手段２５を更に備える。
【０１２６】
好ましく、上記特定のコンポーネントキャリアは、プライマリーセル（ＰＣｅｌｌ）に用いられたコンポーネントキャリアである。
【０１２７】
好ましく、該装置は、
基地局にＵＥの能力情報を報告する能力情報報告手段２６を更に備える。その情報には該ＵＥが特定ＵＥであるか否かの指示情報を備える。
【０１２８】
総じて、本発明の実施例では、ＵＥは、特定のコンポーネントキャリアの伝送方向に基づいて各コンポーネントキャリアのアップリンク及びダウンリンクサブフレームの使用を確定する。ＵＥは、特定のコンポーネントキャリアのＰＤＳＣＨからＵＬＡＣＫ／ＮＡＣＫまでのタイミング関係に基づいて各コンポーネントキャリア上のＵＬＡＣＫ／ＮＡＣＫのフィードバックを確定する。ＵＥは、特定のコンポーネントキャリアのＰＵＳＣＨからＰＨＩＣＨまでのタイミング関係に基づいて、各コンポーネントキャリア上ＰＨＩＣＨを受信する方案を確定する。アップリンクデータ伝送及びダウンリンクデータの同時伝送を支持しないＵＥに対し、異なるＴＤＤアップリンク及びダウンリンクサブフレーム構成を用いるマルチキャリアのネットワークにアクセスされる際の、キャリア・アグリゲーションのアップリンク及びダウンリンクのデータ伝送方案、及び対応するフィードバック案を提供した。
【０１２９】
当業者にとって理解すべきことは、本発明の実施形態が方法、システム、又はコンピュータプログラム製品で提供されることができる。基づいて、本発明は完全ハードウェア実施形態、完全ソフトウェア実施形態、又はソフトウェアとハードウェアの合わせの実施形態を用いることができる。かつ、本発明は１つ又は複数のその中にコンピュータ利用可能なプログラムコードを含むコンピュータ利用可能な記憶媒介（磁気メモリ、ＣＤ−ＲＯＭ、光学メモリ等を含むがこれらに限られない）で実施するコンピュータプログラム製品の形式を用いることができる。
【０１３０】
本発明は本発明の実施形態による方法、装置（システム）、及びコンピュータプログラム製品のフロー図及び／又はブロック図を参照して説明したものである。理解すべきは、コンピュータプログラムコマンドによりフロー図及び／又はブロック図の中の各流れ及び／又はブロック、及びフロー図及び／又はブロック図の中の流れ及び／又はブロックの合わせを実現できる。これらのコンピュータプログラムコマンドを通用コンピュータ、専用コンピュータ、埋め込みプロセッサ又はその他のプログラム可能なデータ処理装置のプロセッサに提供して１つの機器を生じ、コンピュータ又はその他のプログラム可能なデータ処理装置のプロセッサが実行するコマンドはフロー図の１つの流れ又は複数の流れ及び／又はブロック図の１つのブロック又は複数のブロックに指定する能力を実現するための装置を生じるようになる。
【０１３１】
これらコンピュータプログラムコマンドはコンピュータ又はその他のプログラム可能なデータ処理装置を引導して所定の方式で動作させるコンピュータ読み取る可能なメモリに記憶されてもよく、該コンピュータ読み取る可能なメモリに記憶されるコマンドはコマンド装置を備える製品を生じるようになり、該コマンド装置がフロー図の１つの流れ又は複数の流れ及び／又はブロック図の１つのブロック又は複数のブロックに指定する能力を実現する。
【０１３２】
これらコンピュータプログラムコマンドはコンピュータ又はその他のプログラム可能なデータ処理装置にロードしてもよく、コンピュータ又はその他のプログラム可能な装置で一連動作ステップを実行してコンピュータが実現する処理を生じ、このようにして、コンピュータ又はその他のプログラム可能な装置で実行するコマンドがフロー図の１つの流れ又は複数の流れ及び／又はブロック図の１つのブロック又は複数のブロックに指定する能力を実現するステップを提供する。
【０１３３】
当然、当業者は本発明の実施形態に対して様々な変更と変形を行うことができるが、本発明の実施形態の精神と範囲を逸脱しない。このようにして、本発明の実施形態のこれら修正と変形が本発明のクレーム及びその同等技術の範囲に含まれれば、本発明はこれら修正と変形を含む意図する。  
【図１】
0005774217.tif 000005
【図２】
0005774217.tif 000006
【図３】
0005774217.tif 000007
【図４】
0005774217.tif 000008
【図５】
0005774217.tif 000009
【図６】
0005774217.tif 000010
【図７】
0005774217.tif 000011
【図８】
0005774217.tif 000012
【図９】
0005774217.tif 000013
【図１０】
0005774217.tif 000014
【図１１】
0005774217.tif 000015
【図１２】
0005774217.tif 000016
【図１３】
0005774217.tif 000017
【図１４】
0005774217.tif 000018
【図１５】
0005774217.tif 000019